(57)【要約】【課題】より正確な認識結果データを効率的に取得し、この認識結果データに関連付けた画像データを生成する画像データ生成装置、画像データ生成方法及び画像データ生成プログラムを提供する。【解決手段】複合機２０の制御部２１は、操作パネル部２２を介してスキャン指示を受けると、スキャナ部２３を稼動させてＲＡＷデータを生成して、ハードディスクメモリ２４に記録する。制御部２１は、このＲＡＷデータからモノクロ画像データとカラー画像データとを生成する。制御部２１は、生成したモノクロ画像データから、スキャンした原稿に含まれるバーコードの認識を行なってバーコード認識結果データを取得する。制御部２１は、このバーコード認識結果データをタイトル名として、生成したカラー画像データに付与して、保存用画像データを生成し、ハードディスクメモリ２４に記録する。【選択図】図１
2008312133.tif 000002
【特許請求の範囲】
【請求項１】
撮像素子によって変換された信号に基づく原画像データを取得する原画像取得手段と、画像データの生成を行なう制御手段とを備えた画像データ生成装置であって、
前記制御手段が、
前記原画像データから単色の画像データを生成するモノクロ画像データ生成手段と、
前記原画像データからカラー画像データを生成するカラー画像データ生成手段とを備えたことを特徴とする画像データ生成装置。
【請求項２】
前記原画像取得手段は、対象物をスキャンしながら、この対象物からの反射光を電気信号に変換し、この電気信号から前記原画像データを生成するスキャナ制御手段を備えていることを特徴とする請求項１に記載の画像データ生成装置。
【請求項３】
前記制御手段が、
モノクロ画像データ生成手段によって生成された前記モノクロ画像データから、認識結果データを取得するテキストデータ取得手段と、
前記カラー画像データ生成手段によって生成された前記カラー画像データと、前記テキストデータ取得手段が取得した認識結果データとを関連付けて記録する記録手段とを更に備えたことを特徴とする請求項１又は２に記載の画像データ生成装置。
【請求項４】
前記記録手段は、前記テキストデータ取得手段が取得した認識結果データと、前記カラー画像データ生成手段が生成したカラー画像データとを含む保存用画像データを生成して記録することを特徴とする請求項３に記載の画像データ生成装置。
【請求項５】
撮像素子によって変換された信号に基づく原画像データを取得する原画像取得手段と、制御手段とを備えた画像データ生成装置を用いて、画像データの生成を行なう方法であって、
前記制御手段が、
前記原画像データから単色の画像データを生成するモノクロ画像データ生成段階と、
前記原画像データからカラー画像データを生成するカラー画像データ生成段階とを備えたことを特徴とする画像データ生成方法。
【請求項６】
撮像素子によって変換された信号に基づく原画像データを取得する原画像取得手段と、制御手段とを備えた画像データ生成装置を用いて、画像データの生成を行なうプログラムであって、
前記制御手段を、
前記原画像データから単色の画像データを生成するモノクロ画像データ生成手段、及び
前記原画像データからカラー画像データを生成するカラー画像データ生成手段として機能させることを特徴とする画像データ生成プログラム。
【発明の詳細な説明】
【技術分野】
【０００１】
本発明は、カラー画像の画像データを生成する画像データ生成装置、画像データ生成方法及び画像データ生成プログラムに関する。
【背景技術】
【０００２】
紙媒体を電子データに確実に変換するために、機械可読用のバーコードによって、ファイル名や識別子に関する情報や個人情報等を印刷する技術が検討されている（例えば、特許文献１参照。）。この特許文献１に記載の発明では、個人情報をバーコード変換したバーコード個人情報を生成し、これをロゴデータと合成したロゴバーコード情報を生成し、これを印刷データにマージしてロゴ印刷データを生成し、これを印刷する。そして、このバーコードを印刷した原稿の内容を電子データにする場合には、スキャンする際に機械可読用のファイル名や識別子を取得することにより、間違った情報との関連付けを回避することもできる。
【０００３】
一方、従来から、同じ原稿から、カラー画像データ及びモノクロ画像データの両方を生成する技術もある（例えば、特許文献２及び特許文献３参照）。
特許文献２に記載の発明では、制御手段が、ピクセルの許容範囲から、モノクロ画像又はカラー画像の何れかを判断する。モノクロ画像であった場合には、モノクロファイル（１ピクセルに１ビット）に変換し、カラー画像であった場合には、カラーグレースレベルファイル（１ピクセルに８ビット）に変換する。このため、モノクロ画像であるかカラー画像であるかに応じて、１ビット又は８ビットのフォーマットで保存されるので、イメージファイルの保存に必要なスペースを節約できる。
【０００４】
特許文献３に記載の発明では、モノクロイメージスキャナから取得したモノクロ地図によって、表示する地点を特定する。更に、この地点を含む、カラーイメージスキャナから取得したカラー地図と、モノクロ地図とを合成して表示用の地図を生成し、これをＣＲＴに表示する。
【０００５】
上述した特許文献２及び特許文献３においては、１回のスキャンにおいて１つのカラー画像データ又は１つのモノクロ画像データを生成している。このため、モノクロ画像データ及びカラー画像用データの両方を得るために、２回スキャンすることが必要であった。
【特許文献１】特開２００４−１７５３８号公報（第１頁）
【特許文献２】特開２００５−３９６６６号公報（第１頁）
【特許文献３】特開平１０−３４０２７３号公報（図１）
【発明の開示】
【発明が解決しようとする課題】
【０００６】
ところで、１回のスキャンで、カラー画像とモノクロ画像を得る方法もある。この場合、先にカラー画像データを生成し、生成したカラー画像データからモノクロ画像を生成する。しかしながら、カラー画像データは、ＪＰＥＧ等の非可逆圧縮処理などが行なわれて生成される。このため、このカラー画像データから生成されたモノクロ画像は、モノクロ画像データを生成するためにスキャンした場合に比べて、エッジが曖昧な画像になってしまう。従って、カラー画像データにおいて表示されたモノクロ画像を用いて情報の認識処理を行なうと、認識率が低く、正しい情報を取得することが難しかった。
【０００７】
本発明は、上述の課題に鑑みてなされ、その目的は、より正確な認識結果データを効率的に取得し、この認識結果データに関連付けたカラー画像データを生成する画像データ生
成装置、画像データ生成方法及び画像データ生成プログラムを提供することにある。
【課題を解決するための手段】
【０００８】
上記問題点を解決するために、請求項１に記載の発明は、撮像素子によって変換された信号に基づく原画像データを取得する原画像取得手段と、画像データの生成を行なう制御手段とを備えた画像データ生成装置であって、前記制御手段が、前記原画像データから単色の画像データを生成するモノクロ画像データ生成手段と、前記原画像データからカラー画像データを生成するカラー画像データ生成手段とを備えたことを要旨とする。
【０００９】
請求項２に記載の発明は、請求項１に記載の画像データ生成装置において、前記原画像取得手段は、対象物をスキャンしながら、この対象物からの反射光を電気信号に変換し、この電気信号から前記原画像データを生成するスキャナ制御手段を備えていることを要旨とする。
【００１０】
請求項３に記載の発明は、請求項１又は２に記載の画像データ生成装置において、前記制御手段が、モノクロ画像データ生成手段によって生成された前記モノクロ画像データから、認識結果データを取得するテキストデータ取得手段と、前記カラー画像データ生成手段によって生成された前記カラー画像データと、前記テキストデータ取得手段が取得した認識結果データとを関連付けて記録する記録手段とを更に備えたことを要旨とする。
【００１１】
請求項４に記載の発明は、請求項３に記載の画像データ生成装置において、前記記録手段は、前記テキストデータ取得手段が取得した認識結果データと、前記カラー画像データ生成手段が生成したカラー画像データとを含む保存用画像データを生成して記録することを要旨とする。
【００１２】
請求項５に記載の発明は、撮像素子によって変換された信号に基づく原画像データを取得する原画像取得手段と、制御手段とを備えた画像データ生成装置を用いて、画像データの生成を行なう方法であって、前記制御手段が、前記原画像データから単色の画像データを生成するモノクロ画像データ生成段階と、前記原画像データからカラー画像データを生成するカラー画像データ生成段階とを備えたことを要旨とする。
【００１３】
請求項６に記載の発明は、撮像素子によって変換された信号に基づく原画像データを取得する原画像取得手段と、制御手段とを備えた画像データ生成装置を用いて、画像データの生成を行なうプログラムであって、前記制御手段を、前記原画像データから単色の画像データを生成するモノクロ画像データ生成手段、及び前記原画像データからカラー画像データを生成するカラー画像データ生成手段として機能させることを要旨とする。
【００１４】
（作用）
本発明によれば、制御手段は、原画像データからモノクロ画像とカラー画像とを生成する。このため、モノクロ画像から認識結果データをより正確に取得して、より正確な認識結果データをカラー画像に関連付けすることが可能になる。
【００１５】
本発明によれば、制御手段は、対象物をスキャンしながら、この対象物からの反射光を電気信号に変換し、この電気信号から１つの原画像データを生成し、この原画像データから、モノクロ画像データとカラー画像データとを生成する。このため、１回のスキャンで、原画像データに基づくモノクロ画像データも取得することができるため、より正確な認識結果データを、効率的に取得することができる。
【００１６】
本発明によれば、制御手段は、原画像データから生成したモノクロ画像から認識結果データを取得する。モノクロ画像は、原画像データから生成しているため、色分解や圧縮等
が行なわれるカラー画像から生成したモノクロ画像に比べて線等がなまらず、エッジが強調された画像になる。このため、生成したモノクロ画像から取得した認識結果データは、認識率が高くなり、より正確な認識結果データを取得することができる。従って、この認識結果データとカラー画像データとをより正確に関連付けることができる。また、制御手段は、１つの原画像データからモノクロ画像データとカラー画像データの両方を生成するため、手間がかからず、効率的である。
【００１７】
本発明によれば、認識結果データと、カラー画像データとを含む保存用画像ファイルを生成する。このため、人手を介することなく、カラー画像データと認識結果データとを関連付けることができるので、より正確に、カラー画像データに認識結果データを関連付けることができる。
【発明の効果】
【００１８】
本発明によれば、より正確な認識結果データを効率的に取得して、この認識結果データとカラー画像データとを関連付けることができる。
【発明を実施するための最良の形態】
【００１９】
以下、本発明を具体化した一実施形態を図１及び図２に基づいて説明する。
図１に示す複合機２０は、スキャナ機能を備えており、画像データ生成装置として機能する。具体的には、複合機２０は、制御手段としての制御部２１、操作パネル部２２、スキャナ部２３及びハードディスクメモリ２４を備える。
【００２０】
制御部２１は、図示しないＣＰＵ、ＲＡＭ、ＲＯＭ等を有し、後述する処理（ＲＡＷデータ生成段階、カラー画像データ生成段階、モノクロ画像データ生成段階、バーコード認識段階及び保存用画像データ生成段階等を含む処理）を行なう。そして、このための画像データ生成プログラムを実行することにより、制御部２１は、スキャナ制御手段を含む原画像取得手段としてのＲＡＷデータ生成手段、モノクロ画像データ生成手段、カラー画像データ生成手段、テキストデータ取得手段としてのバーコード認識手段及び記録手段としての保存用画像データ生成手段等として機能する。
【００２１】
ＲＡＷデータ生成手段は、スキャナ部２３の撮像素子を用いて取得した原画像データ（ＲＡＷデータ）を生成する。このＲＡＷデータは、スキャナ部２３の撮像素子から取得した、何の処理も施していない生データである。
【００２２】
モノクロ画像データ生成手段は、ＲＡＷデータを用いて、所定のファイル形式のモノクロ画像データを生成する。本実施形態では、所定のファイル形式として可逆変換方式のｔｉｆｆ（Tagged Image File Format）形式を用いる。
【００２３】
カラー画像データ生成手段は、ＲＡＷデータを用いて、所定のファイル形式のカラー画像データを生成する。本実施形態では、所定のファイル形式として非可逆変換のＪＰＥＧ（Joint Photographic Experts Group）形式を用いる。
【００２４】
バーコード認識手段は、バーコードパターン認識処理を行なうためのバーコード認識データを記憶している。そして、バーコード認識手段は、このバーコード認識データを用いて、画像にバーコードが含まれているか否かを判別する。更に、バーコードが含まれている場合には、バーコード認識手段は、このバーコードに含まれる識別データ（認識結果データ）を取得する。
【００２５】
保存用画像データ生成手段は、生成したカラー画像データに対して、バーコード認識手段が取得した識別データをファイル名として付して保存用画像データを生成し、ハードデ
ィスクメモリ２４に記録する。
【００２６】
操作パネル部２２は、複合機２０を操作するためのユーザインターフェイスであり、タッチパネルや操作ボタンを備える。この操作ボタンには、利用者が各種入力を行なうために用いられ、例えば処理の開始を指示するスタートボタン等が含まれる。タッチパネルは、各種機能を選択するための選択ボタンや各機能の設定を行なうための設定ボタン等を表示し、選択されたボタンに対応する利用者からの指示を制御部２１に供給する。
【００２７】
スキャナ部２３は、スキャン機能を実行して、画像を光学的に読み取る。具体的には、スキャナ部２３は、光源、撮像素子（例えばＣＣＤセンサ等）及び、フィルタやプリズム等の色分解手段を備える。このスキャナ部２３は、光源からの光を原稿台に置かれた原稿に対して照射し、反射した光に応じた色（ＲＧＢ）別の電気信号を、色分解手段及び撮像素子を用いて取得する。そして、スキャナ部２３は、原稿全面を走査することにより得た電気信号を制御部２１に供給する。
【００２８】
ハードディスクメモリ２４は、各種データを記録するために用いられる。本実施形態では、ＲＡＷデータや生成された保存用画像データを一時的に格納する。なお、このハードディスクメモリ２４は、データ量が大きいＲＡＷデータを格納するために十分なデータ容量を有する。
【００２９】
なお、この複合機２０は、ネットワークを介してコンピュータ端末に接続されている。このコンピュータ端末は、ディスプレイ等の出力手段、キーボード及びポインティングデバイス等の入力手段を備えている。そして、このコンピュータ端末は、複合機２０で生成された保存用画像データを取得し、この保存用画像データに基づいて画像を表示させて、この保存用画像データについて保存や加工を行なうことが可能である。
【００３０】
次に、上記のように構成された複合機２０を用いて、画像データを生成する処理について、図２を用いて説明する。ここでは、電子化する原稿は、バーコード及びカラー画像が含まれた文書であって、このバーコードに、この画像データを識別するための識別データが含まれている。本実施形態では、原稿から取得したカラー画像データに、識別データをファイル名を付した保存用画像データを生成して保存する。
【００３１】
複合機２０を使用する前には、複合機２０の操作パネル部２２のタッチパネルに、各機能（スキャナ機能、プリンタ機能、ファクシミリ機能、複写機等）を選択する選択ボタンが表示されている。ここで、ユーザは、電子化する原稿を複合機２０の原稿台に置いた後、タッチパネルに表示された選択ボタンを用いてスキャナ機能を選択する。そして、ユーザは、操作パネル部２２のスタートボタンを選択する。これにより、複合機２０の制御部２１は、スキャナ機能の処理開始を検出して、スキャナ部２３を制御して、原稿台に置かれた原稿をスキャンする（ステップＳ１−１）。具体的には、スキャナ部２３は、光源から原稿に対して光を照射し、反射した光によるＲＧＢ別の電気信号を、撮像素子及び色分解手段を用いて取得し、制御部２１に供給する。制御部２１のＲＡＷデータ生成手段は、取得したＲＧＢ別の電気信号を蓄積し、原稿全体から取得した電気信号のＲＡＷデータを生成する。
【００３２】
そして、制御部２１のＲＡＷデータ生成手段は、生成したＲＡＷデータを複合機２０のハードディスクメモリ２４に記録して保存する（ステップＳ１−２）。
次に、制御部２１は、カラーモノクロ変換処理を実行する（ステップＳ１−３）。このカラーモノクロ変換処理においては、制御部２１は、モノクロ画像データ生成処理とカラー画像データ生成処理を実行する。具体的には、制御部２１のモノクロ画像データ生成手段は、ハードディスクメモリ２４に記録したＲＡＷデータを変換してｔｉｆｆ形式のモノ
クロ画像データを生成して、制御部２１のＲＡＭに記録する。更に、制御部２１のカラー画像データ生成手段は、ハードディスクメモリ２４に記録したＲＡＷデータを圧縮変換してＪＰＥＧ形式のカラー画像データを生成して、制御部２１のＲＡＭに記録する。なお、制御部２１は、モノクロ画像データ及びカラー画像データを生成すると、ＲＡＷデータをハードディスクメモリ２４から削除する。
【００３３】
次に、制御部２１は、バーコード認識処理を実行する（ステップＳ１−４）。具体的には、制御部２１のバーコード認識手段は、生成したモノクロ画像データを用いて、公知のバーコードパターン認識処理を行ない、取得したモノクロ画像データにバーコードが含まれているか否かを判別する。そして、モノクロ画像データにバーコードが含まれている場合には、バーコード認識手段は、このバーコードに含まれるコードデータ（認識結果データ）を取得し、この認識結果データを制御部２１のＲＡＭに記録する。
【００３４】
次に、制御部２１は、保存用画像データの生成処理を実行する（ステップＳ１−５）。具体的には、制御部２１の保存用画像データ生成手段は、カラー画像データ生成手段が生成したカラー画像データに、バーコード認識手段によって記録された認識結果データをタイトル名として付与した保存用画像データを生成し、ハードディスクメモリ２４に記録する。以上により、画像データの生成処理が完了する。
【００３５】
その後、複合機２０は、コンピュータ端末から画像データの送信要求を受け付ける。この送信要求には、画像データを特定するための識別データが含まれる。複合機２０は、取得した識別データをタイトル名とする保存用画像データをハードディスクメモリ２４から取得して、コンピュータ端末に送信する。コンピュータ端末は、取得した保存用画像データに基づくカラー画像をディスプレイに表示する。ユーザは、表示されたカラー画像を閲覧して、キーボードやポインティングデバイス等を用いて、加工指示や保存指示を行なうことができる。
【００３６】
本実施形態によれば、以下のような効果を得ることができる。
・  本実施形態では、複合機２０の制御部２１は、スキャナ機能の処理開始を検出すると、原稿をスキャンしてＲＡＷデータを生成する（ステップＳ１−１）。制御部２１は、カラーモノクロ変換処理を実行して（ステップＳ１−３）、このＲＡＷデータからモノクロ画像データとカラー画像データの両方を生成する。次に、制御部２１は、バーコード認識処理（ステップＳ１−４）によって、生成したモノクロ画像データから認識結果データを取得し、この認識結果データとカラー画像データとを含めた保存用画像データの生成処理を実行する（ステップＳ１−５）。このため、原画像データから生成したモノクロ画像から、認識結果データを取得する。原画像データから生成したモノクロ画像は、カラー画像から生成したモノクロ画像に比べて、エッジが強調された画像になる。従って、生成したモノクロ画像から取得した認識結果データは、認識率が高くなり、より正確な認識結果データを取得することができる。よって、この認識結果データとカラー画像データとをより正確に関連付けることができる。また、制御部２１は、１回のスキャンで、モノクロ画像データとカラー画像データの両方を生成するため、より正確な認識結果データを取得するために、余計な手間がかからず、効率的に行なうことができる。
【００３７】
・  本実施形態では、制御部２１は、取得した認識結果データをファイルのタイトル名として、カラー画像データに関連付けた保存用画像データを生成する（ステップＳ１−５）。このため、人手を介することなく、カラー画像データと認識結果データを関連付けることができるので、より正確に、カラー画像データに認識結果データを関連付けることができる。
【００３８】
また、上記実施形態は、以下のように変更してもよい。
○  上記実施形態においては、電子化する内容が記録された紙である原稿を用いた。これに限らず、画像データを生成する対象としては、ビン類等の立体物に記録された内容であってもよい。例えば、ビンに貼付されたラベル等を対象として画像データを生成してもよい。
【００３９】
○  上記実施形態においては、モノクロ画像としては、白黒の画像に限られるものではない。例えば、スキャナ部２３において色分解されたＲＧＢ各色の単色画像をモノクロ画像として用いることができる。また、ＲＧＢ各色を所定の基準で配合して生成した単色画像を用いることも可能である。
【００４０】
○  上記実施形態においては、図２に示すように、原稿に含まれる１次元バーコードから認識結果データを取得した。これに限らず、１次元バーコードの代わりに２次元コードを用いてもよい。また、認識結果データは、バーコード認識処理に限らず、光学文字認識（ＯＣＲ；Optical Character Recognition）処理や光学式マーク認識（ＯＭＲ；Optical
Mark Recognition）処理によって取得してもよい。光学文字認識処理の場合、スキャナ
機能の処理開始の前に、原稿における光学文字認識を行なう部分をユーザに指定させてもよい。これにより、原稿において同じ位置に記載されている文字を識別データとして取得し、この識別データにカラー画像データを関連付けることができる。また、光学式マーク認識処理の場合、マークシート等において、黒く塗り潰された部分の位置を認識し、この認識結果に応じたデータを取得する。
【００４１】
○  上記実施形態においては、制御部２１の保存用画像データの生成手段は、モノクロ画像データから取得したバーコード認識結果データを、カラー画像データのファイルのタイトル名として関連付けた。これに限らず、認識結果データは、例えば、分類の区分データや保管用の識別データとして、カラー画像データと関連付けてもよい。
【００４２】
○  上記実施形態においては、複合機２０のスキャナ部２３は、原稿をスキャンして、ＲＡＷデータを生成した。これに限らず、例えばデジタルカメラにＲＡＷデータが記録されている場合には、このＲＡＷデータを取得可能なコンピュータ端末を画像データ形成装置とすることも可能である。具体的には、このコンピュータ端末の制御部が、ＲＡＷデータ取得手段、取得したＲＡＷデータを用いたカラーモノクロ変換処理（ステップＳ１−３）、バーコード認識処理（ステップＳ１−４）及び保存用画像データの生成処理（ステップＳ１−５）を実行する手段として機能させる。
【００４３】
○  上記実施形態においては、制御部２１は、保存用画像データの生成処理において（ステップＳ１−５）、生成した保存用画像データをハードディスクメモリ２４に記録した。これに限らず、制御部２１は、生成した保存用画像データを、予めユーザに指定されたコンピュータ端末に送信して、コンピュータ端末において保存してもよい。
【００４４】
○  上記実施形態においては、複合機２０を画像データ生成装置として説明した。これに限らず、画像データ生成装置は、スキャナ機能だけを有するスキャナ装置であってもよいし、撮影により画像データを生成可能なデジタルカメラであってもよい。
【図面の簡単な説明】
【００４５】
【図１】実施形態における画像データ生成装置の構成を示すブロック図。
【図２】画像データ生成処理における処理手順を説明する流れ図。
【符号の説明】
【００４６】
２０…画像データ生成装置としての複合機、２１…制御手段としての制御部、２２…操作パネル部、２３…スキャナ部、２４…ハードディスクメモリ。
【図１】
2008312133.tif 000003
【図２】
2008312133.tif 000004